(57)【特許請求の範囲】
【請求項１】
来場者の身分証明書や名刺等の第１の来場者表示物に、非接触方式でデータの送受信を行うアンテナ部と少なくとも識別コードが予め記憶される情報記憶部を有するＩＣ回路とを基材シート内に内包してなる非接触式ＩＣラベルを貼付するとともに、前記第１の来場者表示物の写し又は、同一物からなる第２の来場者表示物に、前記第１の来場者表示物に貼付された非接触式ＩＣラベルに予め記憶された識別コードが表面に印刷され裏面に粘着部を有し、前記非接触式ＩＣラベル又は複数の非接触式ＩＣラベルが剥離台紙に保持されている状態にて当該非接触式ＩＣラベルに対応する位置に貼付されたバーコードラベルを貼付し、前記第１及び第２の来場者表示物を用いて来場者受付を管理する来場者受付管理方法であって、
前記第２の来場者表示物にて表示される情報と当該第２の来場者表示物に貼付されたバーコードラベルに印刷された識別コードとを端末からホストに登録する処理を有することを特徴とする来場者受付管理方法。
【請求項２】
来場者の身分証明書や名刺等の第１の来場者表示物に、非接触方式でデータの送受信を行うアンテナ部と識別コードが後に記憶される情報記憶部を有するＩＣ回路とを基材シート内に内包してなる非接触式ＩＣラベルを貼付するとともに、前記第１の来場者表示物の写し又は、同一物からなる第２の来場者表示物に、裏面に粘着部を有し、予め異なる識別コードが表示された複数のバーコードラベルのうち少なくとも１枚を貼付し、前記第１及び第２の来場者表示物を用いて来場者受付を管理する来場者受付管理方法であって、
前記第２の来場者表示物に貼付された前記バーコードラベルに表示された識別コードを読み取る処理と、
前記情報記憶部に前記識別コードを書き込む処理と、
前記第２の来場者表示物にて表示される情報と当該第２の来場者表示物に貼付されたバーコードラベルに表示された識別コードとを端末からホストに登録する処理とを有することを特徴とする来場者受付管理方法。
【発明の詳細な説明】
【０００１】
【発明の属する技術分野】
本発明は、非接触式ＩＣを内包したＩＣラベル、特にデータの送受信を行うアンテナ部とＩＣ回路を基材シート内に内包しデータの書き込み／読み出しが行える非接触式ＩＣラベルを利用し、各種ショー会場、展示会、遊戯場等のイベント会場での来場者受付管理方法に関する。
【０００２】
【従来の技術】
近年、各種ショー会場、展示会、遊戯場等のイベント会場は、規模が拡大されそれら会場での来場者受付は、受付る側にとっては、非常に繁雑であるとともに来場者も受付処理時間が長いため非常に煩わしいものであった。また、来場予定者には、あらかじめＩＣモジュールを内包し、外部のリーダ／ライタを介してデータの送受信を行えるＩＣカードを郵送等の手段を介して配布しておくことにより、イベントでの来場受付け及びイベントでの来場者管理が効率よく行える。しかし、確実に来場する来場者を予想できないとＩＣカードが送付できないばかりか、むやみにＩＣカードを送付することは経費が無駄になる。
【０００３】
【発明が解決しようとする課題】
そこで、ＩＣモジュールを内蔵したＩＣカード類のデータの管理適性を利用し、各種ショー会場、展示会、遊戯場等のイベント会場での来場者受付の際、来場者のみにＩＣカードを配布することを単に試みたが、やはり受付け時に、どの来場者にどのＩＣカードを渡したか等を管理して、登録する受付の処理時間は、長くなり非常に煩わしいものであった。本発明は、これらの欠点を改善するもので、ＩＣモジュールによるデータの入出力の管理適性を利用するとともに、イベント会場で極めて短時間で簡単に来場者受付が行える来場者受付管理方法を提供することを目的とするものである。
【０００４】
【課題を解決するための手段】
本発明の来場者受付管理方法は、上記目的を達成するために、
来場者の身分証明書や名刺等の第１の来場者表示物に、非接触方式でデータの送受信を行うアンテナ部と少なくとも識別コードが予め記憶される情報記憶部を有するＩＣ回路とを基材シート内に内包してなる非接触式ＩＣラベルを貼付するとともに、前記第１の来場者表示物の写し又は、同一物からなる第２の来場者表示物に、前記第１の来場者表示物に貼付された非接触式ＩＣラベルに予め記憶された識別コードが表面に印刷され裏面に粘着部を有し、前記非接触式ＩＣラベル又は複数の非接触式ＩＣラベルが剥離台紙に保持されている状態にて当該非接触式ＩＣラベルに対応する位置に貼付されたバーコードラベルを貼付し、前記第１及び第２の来場者表示物を用いて来場者受付を管理する来場者受付管理方法であって、
前記第２の来場者表示物にて表示される情報と当該第２の来場者表示物に貼付されたバーコードラベルに印刷された識別コードとを端末からホストに登録する処理を有する。
【０００７】
また、来場者の身分証明書や名刺等の第１の来場者表示物に、非接触方式でデータの送受信を行うアンテナ部と識別コードが後に記憶される情報記憶部を有するＩＣ回路とを基材シート内に内包してなる非接触式ＩＣラベルを貼付するとともに、前記第１の来場者表示物の写し又は、同一物からなる第２の来場者表示物に、裏面に粘着部を有し、予め異なる識別コードが表示された複数のバーコードラベルのうち少なくとも１枚を貼付し、前記第１及び第２の来場者表示物を用いて来場者受付を管理する来場者受付管理方法であって、
前記第２の来場者表示物に貼付された前記バーコードラベルに表示された識別コードを読み取る処理と、
前記情報記憶部に前記識別コードを書き込む処理と、
前記第２の来場者表示物にて表示される情報と当該第２の来場者表示物に貼付されたバーコードラベルに表示された識別コードとを端末からホストに登録する処理とを有することで、第１の来場者表示物に貼付したＩＣラベル識別コードと第２の来場者表示物に付与する識別コードが同一となる。
【０００８】
【発明の実施の態様】
次に、本発明を図１から図３に示す実施例に基づいて詳細に説明する。図１は、本発明の来場者受付管理方法の流れを示すフロー説明図、図２は、ロール状の剥離台紙にＩＣラベルを保持した本発明の実施形態を示す斜視説明図である。図３は、図２のＩＣラベル部の断面説明図である。
【０００９】
本発明の説明に先だって、本発明で使用されるの非接触式ＩＣラベル１を図２、図３に基づいて説明する。非接触式ＩＣラベル１は、非接触方式でデータの送受信を行うアンテナ部１８と情報記憶部を有するＩＣ回路１７を基材シート１３内に内包し、裏面に粘着部１６を形成したＩＣラベル１０が剥離台紙１２に保持されてなるものである。粘着部１６は、不乾燥性粘着剤でＩＣラベル１０は剥離台紙１２から随時剥がされて、適当なところに貼付できる。またＩＣラベル１０の厚みとしては、０．２５から１ｍｍ程度が望ましい。
【００１０】
本発明の来場受付管理方法においては、図１に示すようにまず、来場者の受付けの際、受付側は、来場者から名刺を２枚を預かり（ステップ１０１）、一方の名刺Ａ（第一の来場者表示物）に、ＩＣラベル１０を、このＩＣラベル１０の裏面に形成した粘着部１６によって貼付する（ステップ１０２）。次にこのＩＣラベル１０付き来場者表示物（名刺Ａ）を来場者に携帯させる（ステップ１０４）。また、来場者の受付けの際、２枚の名刺を預かったうちのもう一方の名刺Ｂ（第二の来場者表示物）に、ＩＣラベル１０にあらかじめ又は後に記憶される識別コードを原始的には筆記により記入する（ステップ１０３）。次に識別コード付き前記名刺Ｂ（第二の来場者表示物）をもとにして来場者の氏名、会社名、電話番号等の属性情報と識別コードを端末からホストに登録する（ステップ１０５）ようにすればよい。
【００１１】
上述において、ＩＣラベル１０にあらかじめ又は後に記憶される識別コードを記憶する（ステップ１０２）場合とは、ロール状のＩＣラベル１が提供されるときや名刺ＡにＩＣラベル１０が貼付される前、あるいは、ＩＣラベル１０が名刺Ａに貼付された後のいずれでもよい。その際、あらかじめＩＣラベル１０又は、ＩＣラベル１０に対応する位置（剥離台紙１２上）に識別コードが表示されて供給されることが望ましいが、ＩＣラベル１０自体に表示する場合は、ＩＣラベル１０の表面に印字部を形成しておくとよい。
【００１２】
その具体的な構造としては、基材シート１３の表裏面にシート１４，１５で挟持してなる上質紙または筆記適性をもたせた樹脂でサンドイッチされている。特に少なくともシート１４を樹脂で形成した場合には表面の印字部は、少なくともトナー印字適性を持たせるため各種樹脂や導電材による表面コートが施される。先ず、ノンインパクトによるトナー印字の際、転写性を向上させるために導電材を塗工し、カード表面の抵抗値を１．０×１０の１１乗オーム以下に設定することが望ましい。また、トナーの定着性を向上させるために各種の樹脂を塗工し、アンカーコート層が形成される。
【００１３】
また、表面には、耐熱インクを塗布してもよく、この耐熱インクのうち少なくとも黒インク等で印字欄や模様等が構成される場合は、カーボンレスインクで構成されてなるものである。これにより、カード表面へのノンインパクト（静電写真印刷）によるトナー印字の際、黒印刷部の畜熱を防止でき、ＩＣ回路１７における熱圧からの影響を回避できる。
【００１４】
また上記耐熱インクは、ＵＶインクが、使用されており、ＵＶランプ等により乾燥されてなるもので、カード表面へのノンインパクトによるトナー印字の際、印字部のインクが溶けることなく安定した印字が行えるとともに、印字部の内面側のＩＣ回路１７を熱圧から保護できる。
【００１５】
さらに、ＩＣラベル１０には、あらかじめこのＩＣラベル１０を識別するための識別コードが記憶されるとともにＩＣラベル１０又は、ＩＣラベル１０に対応する位置（剥離台紙１２上）にＩＣラベル１０に記憶された前記識別コードが裏面に粘着部を有するバーコードラベルで表示されて供給されるとともに、名刺Ｂに識別コードを付与する工程は、バーコードラベルを前記名刺Ｂの裏面または、余白に貼付して行うようにすることでさらに来場受付けの処理時間を短縮できる。
【００１６】
その他の実施態様として、前記来場者の受付けの際、名刺Ｂ（第二の来場者表示物）に識別コードを付与する工程は、裏面に粘着部を有し、あらかじめ異なる識別コードが表示された複数のバーコードラベルを用意し、少なくとも１枚づつ貼付するとともに、貼付されたこのバーコードラベルの識別コードを読取り、ＩＣラベル１０の情報記憶部に識別コードを記憶させることで、名刺Ａ（第一の来場者表示物）に貼付したＩＣラベル識別コードと名刺Ｂ（第二の来場者表示物）に付与する識別コードが同一となる。
【００１７】
なおＩＣ回路１７は、単なるメモリーとして形成されるかＭＰＵ（マイクロプロセッサーユニット）を合わせ持つ回路であってもよくアプリケーションによって各種のものが選択される。また、印字部の可変情報は、手書きあるいはプリンタ等で任意に書き込み、プリントができ、アプリケーションによって適宜に必要な手段が選択されるものである。
【００１８】
尚、本発明の来場者受付管理方法は、上記実施態様に限定されるものではなく第一の来場者表示物は、名刺を使用した例を示したが、例えばＩＤカード、会員カード等の身分証明書であってもよい。その際、第二の来場者表示物は、コピー等の写しを用いればよい。
【００１９】
【発明の効果】
本発明の来場者受付管理方法は、以上説明した構成により、まず、来場者の受付けの際、例えば来場者から預かった名刺Ａ，Ｂのうちの１枚（Ａ）にＩＣラベル１０を、貼付して来場者に返却して携帯させ、もう一方の名刺Ｂに、ＩＣラベルにあらかじめ又は後に記憶される識別コードを記入または、識別コードを表示したバーコードによる識別コードラベル等を貼付するのみで、来場者の氏名、会社名、電話番号等の属性情報と識別コードを名刺Ｂに基づいてきわめて簡単に確実に登録することができる。また、来場者に非接触式ＩＣモジュールを内蔵したＩＣラベルを携帯させることができるので、イベント会場内での来場者行動データやアンケート集計等が容易に入手でき、把握でき産業上極めて有用な効果を奏する。
【図面の簡単な説明】
【図１】本発明の来場者受付管理方法の流れを示すフロー説明図。
【図２】ロール状の剥離台紙にＩＣラベルを保持した実施形態を示す斜視説明図。
【図３】図２のＩＣラベル部の断面説明図。
【符号の説明】
１    非接触式ＩＣラベル
１０    ＩＣラベル
１２    剥離台紙
１６    粘着部
１７    ＩＣモジュール
１８    アンテナ部
【図１】
0003675626.tif 000002
【図２】
0003675626.tif 000003
【図３】
0003675626.tif 000004